(57)【要約】【課題】従来の複合サッシの框体に単板ガラスを固定保持することができるサッシのガラス固定構造を提供する。【解決手段】金属框３０の屋内側露出部分を樹脂框４０で略覆ってなる框体６の屋外側端部に設けた延出片３１ａと、屋内側に取付けた押縁部材６０によって構成したガラス挿入溝６ａにガラス体５を納めてなるサッシ２のガラス固定構造において、上記框体６の延長片３１ａの屋内側に掛渡し部材５０を取付けるものであって、該掛渡し部材５０は上記延出片３１ａに係合する係合部５１と、上記ガラス体５に当接する当接部５２と、一定の幅を有し上記係合部５１及び当接部５２と連接する内壁部５３とを有し、上記係合部５１を上記延出片３１ａに係合させ、上記当接部５２を緩衝部材３５ｂを介してガラス体５に当接させることを特徴とするサッシのガラス固定構造。【選択図】　図３
2004124591.tif 000002
【特許請求の範囲】
【請求項１】
金属框の屋内側露出部分を樹脂框で略覆ってなる框体の屋外側端部に設けた延出片と屋内側に取付けた押縁部材によって構成したガラス挿入溝にガラス体を納めてなるサッシのガラス固定構造において、
上記框体の延出片の屋内側に掛渡し部材を取付けるものであって、該掛渡し部材は上記延出片に係合する係合部と、上記ガラス体に当接する当接部と、一定の幅を有し上記係合部及び当接部と連接する内壁部とを有し、
上記係合部を上記延出片に係合させ、上記当接部を緩衝部材を介してガラス体に当接させることを特徴とするサッシのガラス固定構造。
【請求項２】
上記掛渡し部材は断面が略コ字状であると共に、該掛渡し部材の内壁部は平面状に形成され、該内壁部は上記框体の延出片と略面一状としてなることを特徴とする請求項１記載のサッシのガラス固定構造。
【請求項３】
上記掛渡し部材の係合部は上記延出片と係合する係合片及び上記延出片にカシメ固定するためのカシメ係合片を有することを特徴とする請求項１又は２記載のサッシのガラス固定構造。
【請求項４】
上記掛渡し部材の当接部は取付溝を有し、該取付溝に上記緩衝部材を取付けて上記ガラス体に当接させることを特徴とする請求項１乃至３記載のサッシのガラス固定構造。
【発明の詳細な説明】
【０００１】
【発明の属する技術分野】
本発明は、窓開口部に装着されるサッシのガラス固定構造に関し、框体に複層ガラスの代わりに単板ガラスを固定保持するサッシのガラス固定構造に関する。
【０００２】
【従来の技術】
近年、サッシは断熱性の向上や意匠性の向上のため、金属枠や金属框の屋内側露出部分を樹脂枠や樹脂框で覆った複合サッシが広く用いられている。この場合、框に固定されるガラス体は、断熱性を確保するために一般的には複層ガラスが用いられる。この複層ガラスは、通常２枚（特殊な場合は３〜４枚）の板ガラスを配置し、その周囲を接着剤で密封して内部の空気を乾燥状態に保ったもので、高い断熱性と結露防止効果がある。
【０００３】
複層ガラスを使用した複合サッシの例としては、特開２０００−３２０２５０号公報に記載された複合サッシがある。この複合サッシは方形に枠組みされた外枠内に辷り出し障子を納めて構成されている。この外枠を構成する各枠材は、金属枠とその屋内側露出部分を覆う樹脂枠とから構成され、辷り出し障子は金属框とその屋内側露出部分を覆う樹脂框とから構成されており、この框体のガラス挿入溝において複層ガラスが保持されている。この複層ガラスはその屋内側及び屋外側の両方から挟持されている。金属框の屋外側端部には、その長手方向の略全長に沿って、断面略Ｌ字状の延出片が形成されており、これら延出片の各々の複層ガラス側の端部には緩衝部材が係脱自在に取付けられている。また金属框の屋内側には、複層ガラスを屋内側から延出片側に押圧する押縁部材が取付けられており、この押縁部材の端部にも緩衝部材が係脱自在に取付けられている。この延出片の緩衝部材と押縁部材の緩衝部材とで複層ガラスを保持している。
【０００４】
【発明が解決しようとする課題】
ところで、断熱性をそれほど必要としない地域において使用されるサッシにおいては、屋内側の意匠性を向上させるために複合サッシを用いつつも、高価でかつ重量が重くサッシに負担をかける複層ガラスではなく、安価で軽量な単板ガラスを用いたいという強い要望がある。しかし、複合サッシの框体は複層ガラス用に設計されているのでその幅が広く、そのままでは単板ガラスを保持することができない。
【０００５】
本発明は、上記問題点を解決すべくなされたものであり、従来の複合サッシの框体に単板ガラスを固定保持することができ、意匠性の高い複合サッシに安価でかつ軽量でサッシへの負担の少ない単板ガラスを用いることができるサッシのガラス固定構造を提供することを目的とする。
【０００６】
【課題を解決するための手段】
上記課題を解決するため本発明は、金属框の屋内側露出部分を樹脂框で略覆ってなる框体の屋外側端部に設けた延出片と屋内側に取付けた押縁部材によって構成したガラス挿入溝にガラス体を納めてなるサッシのガラス固定構造において、上記框体の延出片の屋内側に掛渡し部材を取付けるものであって、該掛渡し部材は上記延出片に係合する係合部と、上記ガラス体に当接する当接部と、一定の幅を有し上記係合部及び当接部と連接する内壁部とを有し、上記係合部を上記延出片に係合させ、上記当接部を緩衝部材を介してガラス体に当接させることを特徴として構成されている。
【０００７】
また本発明は、上記掛渡し部材は断面が略コ字状であると共に、該掛渡し部材の内壁部は平面状に形成され、該内壁部は上記框体の延出片と略面一状としてなることを特徴として構成されている。
【０００８】
また本発明は、上記掛渡し部材の係合部は上記延出片と係合する係合片及び上記延出片にカシメ固定するためのカシメ係合片を有することを特徴として構成されている。
【０００９】
また本発明は、上記掛渡し部材の当接部は取付溝を有し、該取付溝に上記緩衝部材を取付けて上記ガラス体に当接させることを特徴として構成されている。
【００１０】
【発明の実施の形態】
以下、本発明の実施形態について図面を参照して詳細に説明する。図１は本発明のサッシのガラス固定構造を適用した複合サッシ全体の縦断面図、図２は図１の横断面図、図３は図１の金属上框周辺の拡大図、図４は図１の金属下框周辺の拡大図、図５は図２の金属縦框周辺の拡大図、図６は図３におけるガラス保持部分の組立図である。なお、本説明中において「左」又は「右」とある場合には、屋内側から屋外側を見た場合を基準とする。
【００１１】
図１及び図２に、建屋外壁に形成された窓開口部１に納められる複合サッシ２を示す。この複合サッシ２は、方形に枠組みされた外枠３内に辷り出し障子４を納めて構成されている。外枠３を構成する各枠材は、複合型の枠材であり、ベースとなる金属枠体たる金属枠１０とその屋内側露出部分を覆う樹脂枠２０とから構成されている。この金属枠１０は、金属上枠１１、金属下枠１２及び左右の金属縦枠１３、１４を略コ字状に枠組みし、相互をねじで締結して構成されている。また樹脂枠２０は、樹脂上枠２１、樹脂下枠２２及び左右の樹脂縦枠２３、２４とで構成されており、上記樹脂上枠２１は金属上枠１１に、樹脂下枠２２は金属下枠１２に、樹脂縦枠２３は金属縦枠１３に、樹脂縦枠２４は金属縦枠１４にそれぞれ取付けられている。
【００１２】
また辷り出し障子４の框体６も上述の外枠３と同様に、金属框３０とその屋内側露出部分を覆う樹脂框４０とから構成される複合型の枠材により方形状に枠組みされるものである。金属框３０は、金属上框３１、金属下框３２及び左右の金属縦框３３、３４を略コ字状に枠組みし、相互をねじで締結して構成されている。また樹脂框４０は、樹脂上框４１、樹脂下框４２及び左右の樹脂縦框４３、４４とで構成されており、上記樹脂上框４１は金属上框３１に、樹脂下框４２は金属下框３２に、樹脂縦框４３は金属縦框３３、樹脂縦框４４は金属縦框３４にそれぞれ取付けられる。これら枠組みされた框体６のガラス挿入溝６ａに単板ガラス５が納められている。
【００１３】
なお、上記外枠３の金属枠１０、框体６の金属框３０、及び後述する押縁部材６０の金属押縁６１、掛渡し部材５０はアルミの押し出し型材にて成型され、また外枠３の樹脂枠２０、框体６の樹脂框４０、及び後述する押縁部材６０の樹脂押縁６２は塩化ビニルやアクリル樹脂等から押し出し成型される。
このように樹脂枠２０にて金属枠１０の屋内側露出部分を、また樹脂框４０にて金属框３０の屋内側露出部分を覆うことにより、金属による冷たい感じを隠し、また熱伝導率の低い樹脂によって断熱効果を向上させている。また、これらの樹脂材には、木材粉等を混入させて、外観上あたかも木材で形成されているかの観を呈することもできる。
【００１４】
ここで外枠３の金属上枠１１、金属下枠１２及び左右の金属縦枠１３、１４の各々には、図１、図２に示すように、建屋外壁に延出して該外壁にネジ止めされる屋外固定片１１ａ、１２ａ、１３ａ、１４ａ及び屋内側に延出して窓開口部１の周縁にネジ止めされる屋内固定片１１ｂ、１２ｂ、１３ｂ、１４ｂが設けられており、これら屋外固定片１１ａ〜１４ａ及び屋内固定片１１ｂ〜１４ｂにおけるネジ止め構造によって金属上枠１１、金属下枠１２及び左右の金属縦枠１３、１４が建屋に固定されている。
【００１５】
辷り出し障子４の框体６の金属縦框３３、３４の上部には、それぞれ回動自在のアーム（図示せず）が取付けられており、該アームは外枠３の金属縦枠１３、１４に設けられた辷り出し機構７に摺動自在かつ回動自在に連結される。また辷り出し障子４の下部は見付方向を軸として回動自在に外枠３に取付けられる。上記辷り出し機構７は屋内側に設けられたハンドル８の回転に追従して上記アームの連結部分を上下に移動するもので、ハンドル８を回転させるとその回転に従って辷り出し障子４の上部が屋外側に辷り出し、複合サッシ２の開状態が実現される。なお、本実施形態に係る複合サッシ２の屋内側には網戸９が設けられている。
【００１６】
ここで、上述のように構成された辷り出し障子４の框体６内に単板ガラス５を保持するための保持構造について説明する。単板ガラス５は框体６のガラス挿入溝６ａにおいて、その屋内側及び屋外側から挟持されており、そのうちの屋内側の構造についてまず説明する。
【００１７】
まず金属上框３１について説明する。図３に示すように、辷り出し障子４の框体６の金属上框３１には、その単板ガラス５に対向する面に単板ガラス５側に開口する嵌合溝３１ｃが長手方向に沿って略全長に至り形成されており、被係合部たるこれら嵌合溝３１ｃに押縁部材６０が取付けられる。嵌合溝３１ｃの開口部の周囲には突起３１ｄが形成されており、この嵌合溝３１ｃの略全長に渡り押縁部材６０が長手方向に沿って取付けられる。上記押縁部材６０は断面略Ｌ字状の金属押縁６１と該金属押縁６１の屋内側露出部分を覆う樹脂押縁６２とから形成される。
【００１８】
金属押縁６１は基部６１ａから見込方向に延出する係合片６１ｂと基部６１ａから見付方向に延出する延出片６１ｃとを備えており、係合片６１ｂの屋外側端６１ｄが上記嵌合溝３１ｃの突起３１ｄに係止する。また該係合片６１ｂは段部６１ｅを備えており、この段部６１ｅも嵌合溝３１ｃの突起３１ｄと係止する。これらの係止によって金属押縁６１が被係合部たる嵌合溝３１ｃと係脱自在とされ、押縁部材６０が金属上框３１に対して取付け自在とされている。このように押縁部材６０は金属製の金属押縁６１を介して金属上框３１に取付けることにより、押縁部材６０の取付け又は取外しの際の部材の変形を少なくし、部材同士の摩擦を少なくしている。
【００１９】
金属押縁６１の延出片６１ｃは上記係合片６１ｂと基部６１ａにおいて略直角をなし、基部６１ａから見付方向に延びる。該延出片６１ｃは後述の掛渡し部材５０との間に単板ガラス５を介在する。樹脂押縁６２は中空で断面略方形状の本体６２ａと係止部６２ｂと押圧部６２ｃとから構成されている。この係止部６２ｂは屋外側の見付方向両端付近に形成されており、金属押縁６１の延出片６１ｃの両端に係脱自在に係止するものである。これにより金属押縁６１の屋内側露出部分を樹脂押縁６２によって被覆自在とし、上述の樹脂枠２０や樹脂框４０と同様に屋内側露出部分を樹脂によって覆うことができる。
【００２０】
なお樹脂框４０及び押縁部材６０の樹脂押縁６２は上述のように塩化ビニルやアクリル樹脂等から互いに同じ材質にて形成されており、互いに違和感なく略一体に配置されている。本実施形態においては、図１に示すように、押縁部材６０の樹脂押縁６２の屋内側の側面と、樹脂上框４１の屋内側の側面とが見込方向における略同位置に形成されることによって互いに略同一面状とされており、従って、樹脂上框４１と押縁部材６０とがあたかも一体であるかのようにその外観を呈しており、より一層の体裁の向上が図られている。
また樹脂押縁６２の押圧部６２ｃは、単板ガラス５側の係止部６２ｂ近傍で、かつ金属上框３１の延出片３１ａと対峙する位置に形成されるもので、押縁部材６０と単板ガラス５との間に挟まれたゴム製の緩衝部材３５ａに略係止すると共に該緩衝部材３５ａを単板ガラス５側に押圧する。
【００２１】
次に金属下框３２について説明する。図４に示すように、金属下框３２には嵌合溝が形成されておらず、押縁部材も取付けられていない。金属下框３２に押縁部材を取付けると、結露等により単板ガラス５に生じた水滴が該押縁部材を伝って屋内側面に流れ出てくるおそれがあり、これを防止するため金属下框３２には押縁部材が取付けられていない。従って樹脂下框４２は他の樹脂上框４１、樹脂框４３、４４よりも大きく形成されており、該樹脂下框４２が後述する押縁部材６０の代わりに単板ガラス５を保持する。ただし、金属下框３２に嵌合溝を設け、これに押縁部材を取付けることとしてもよい。
【００２２】
また、金属縦框３３、３４については、互いに対象構造であるので、金属縦框３４側についてのみ図５を参照にしつつ説明する。金属縦框３４の屋内側の構造は金属上框３１と略同じであり、その単板ガラス５に対向する面に単板ガラス５側に開口する嵌合溝３４ｃが長手方向に沿って略全長に至り形成されており、この嵌合溝３４ｃの略全長に渡り、断面略Ｌ字状の金属押縁６１と該金属押縁６１の屋内側露出部分を覆う樹脂押縁６２とから形成される押縁部材６０が長手方向に沿って取付けられる。嵌合溝３４ｃの開口部の周囲には突起３４ｄが形成されており、金属押縁６１の係合片６１ｂの屋外側端６１ｄが上記嵌合溝３４ｃの突起３４ｄに係止する。また該係合片６１ｂの段部６１ｅも嵌合溝３４ｃの突起３４ｄと係止する。
【００２３】
次に屋外側の構造について説明する。まず金属上框３１について説明する。図３に示すように、辷り出し障子４の框体６の金属上框３１の屋外側端部には、その長手方向の略全長に沿って、単板ガラス５の端部近傍にまで延出する断面略Ｌ字状の延出片３１ａが形成されており、この延出片３１ａに掛渡し部材５０を取付ける。ここで、延出片３１ａの屋内側の端部には、取付溝３１ｂが設けられおり、この取付溝３１ｂに、掛渡し部材５０を延出片３１ａの長手方向の略全長に沿って取付ける。
【００２４】
掛渡し部材５０は、延出片３１ａに係合する係合部５１と、単板ガラス５に当接する当接部５２と、複層ガラスと単板ガラス５の肉厚差と略同幅で上記係合部５１及び当接部５２と連接する平面状の内壁部５３とを有し、一面を開口状とする断面略コ字状に形成されている。この掛渡し部材５０は上述したように、金属枠１０等と同様、アルミの押し出し型材にて成型される。なお、ここでは掛渡し部材５０を金属枠１０と同材質にて形成するものとしたが、別材質でもよい。また断面を略コ字状としたが、これに限られることなく例えば略方形状など同様の機能を果たす形状であればよい。
【００２５】
係合部５１はその屋外側面に延出片３１ａの取付溝３１ｂと係合する係合片５１ａ及び取付溝３１ｂに掛渡し部材５０をカシメ固定するためのカシメ係合片５１ｂを備える。掛渡し部材５０は、開口部をガラス挿入溝６ａの内側に向け、係合片５１ａを延出片３１ａの取付溝３１ｂに係合させ、さらにカシメ係合片５１ｂを取付溝３１ｂの内側の端部にカシメ固定することによって、延出片３１ａに固定される。これによって、掛渡し部材５０は延出片３１ａに強固に固定され、安定した状態で単板ガラス５を保持することができる。
【００２６】
なお、ここではカシメ係合片５１ｂを取付溝３１ｂの内側の端部にカシメ固定することとしたが、これに限らず、取付溝３１ｂの外側などその位置は特に限定されるものではない。あるいは取付溝３１ｂにカシメ係合片を設け、係合部５１にカシメ固定する構成としてもよい。また、固定方法は係合とカシメ固定に限るものではなく、例えば螺子止め固定や弾発固定など、種々の固定方法を用い、また組み合わせてもよい。さらに、取付溝３１ｂの形状も固定方法に応じて変更してよく、また固定方法によっては取付溝３１ｂを設けなくともよい。
【００２７】
また、当接部５２の屋内側面には緩衝部材３５ｂを係脱自在に係止させるための取付溝５２ａが設けられおり、この取付溝５２ａに緩衝部材３５ｂが長手方向の略全長に沿って係脱自在に取付けられる。即ち、緩衝部材３５ｂを介して当接部５２が単板ガラス５の屋外側面に当接し、さらに屋内側から屋外側へ押縁部材６０によって単板ガラス５を押圧することにより、単板ガラス５を強固に保持している。ここでは取付溝５２ａに緩衝部材３５ｂを取付けることとしたが、これに限らず、例えば取付溝５２ａを設けずに、当接部５２の屋内側面と単板ガラス５との間に緩衝部材を直接挿入するようにしてもよく、または当接部５２の屋内側面に緩衝部材を接着剤、両面粘着テープ等によって接着してもよい。
【００２８】
さらに内壁部５３は平面状であり、掛渡し部材５０が延出片３１ａに固定された際に、延出片３１ａの端部と連続して面一状となるようになっており、従って、掛渡し部材５０と延出片３１ａとがあたかも一体であるかのようにその外観を呈しており、より一層の体裁の向上が図られている。ただし、内壁部５３が延出片３１ａの端部と連続して面一状となっていなくともよい。
【００２９】
この掛渡し部材５０はスペーサとしての役割を果たす。つまり、複合サッシ２は本来複層ガラスを使用することを前提に設計されており、単板ガラス５を使用した場合には、延出片３１ａの取付溝３１ｂに緩衝部材３５ｂを取付けたとしても、単板ガラス５と緩衝部材３５ｂとの間には複層ガラスと単板ガラス５との肉厚差分の隙間が生じる。そこで上述した掛渡し部材５０を用いるのである。
【００３０】
次に金属下框３２について説明する。図４に示すように、金属下框３２の屋外側の構造は金属上框３１と略同じであり、金属下框３２の屋外側端部には、その長手方向の略全長に沿って、単板ガラス５の端部近傍にまで延出する断面略Ｌ字状の延出片３２ａが形成されており、この延出片３２ａに長手方向の略全長に沿って掛渡し部材５０を取付ける。
すなわち、延出片３２ａの屋内側の端部に設けた取付溝３２ｂに係合片５１ａを係合させ、さらにカシメ係合片５１ｂを取付溝３２ｂの内側の端部にカシメ固定して掛渡し部材５０を延出片３２ａに固定し、緩衝部材３５ｂを介して当接部５２を単板ガラス５の屋外側面に当接させる。
【００３１】
また、金属縦框３３、３４については、互いに対象構造であるので、金属縦框３４側についてのみ図５を参照にしつつ説明する。金属縦框３４の屋外側の構造は金属上框３１と略同じであり、図５に示すように、金属下框３４の屋外側端部には、その長手方向の略全長に沿って、単板ガラス５の端部近傍にまで延出する断面略Ｌ字状の延出片３４ａが形成されており、この延出片３４ａに長手方向の略全長に沿って掛渡し部材５０を取付ける。
すなわち、延出片３４ａの屋内側の端部に設けた取付溝３４ｂに係合片５１ａを係合させ、さらにカシメ係合片５１ｂを取付溝３４ｂの内側の端部にカシメ固定して掛渡し部材５０を延出片３４ａに固定し、緩衝部材３５ｂを介して当接部５２を単板ガラス５の屋外側面に当接させる。
【００３２】
次に、このような単板ガラス５の保持部分の組立方法について説明する。組立については、金属上框３１、及びこれに取付けられる掛渡し部材５０、押縁部材６０について図６を参照して説明する。
まず、掛渡し部材５０の当接部５２の取付溝５２ａに、緩衝部材３５ｂを長手方向の略全長に沿って取付ける。次に係合部５１の係合片５１ａを延出片３１ａの取付溝３１ｂに係合させ、さらにカシメ係合片５１ｂを取付溝３１ｂの内側端部にカシメ固定する。この後、単板ガラス５を緩衝部材３５ｂに当接させる。このとき、単板ガラス５は図５に示すようにセッティングブロック７０上に載置される。さらに金属押縁６１に樹脂押縁６２を取付けた押縁部材６０を金属上框３１に取付ける。最後に、単板ガラス５と押縁部材６０との間に緩衝部材３５ａを挿入し、この緩衝部材３５ａを樹脂押縁６２の押圧部６２ｃに略係止させて、単板ガラス５を狭持する。
【００３３】
さてこれまで本発明の一実施形態について説明したが、本発明は上述の実施形態に限定されず、その技術的思想の範囲内において種々異なる形態にて実施されてよい。本実施形態においては辷り出し障子を用いて説明したが、これに限られるものではなくどのような形態の窓に適用してもよく、例えば一般的な引き違い障子や、嵌め殺し窓の場合であっても本発明のガラス固定構造を適用することができる。
【００３４】
【発明の効果】
以上のように本発明は、框体の延出片の屋内側に掛渡し部材を取付けるものであって、該掛渡し部材は延出片に係合する係合部と、ガラス体に当接する当接部と、一定の幅を有し係合部及び当接部と連接する内壁部とを有し、係合部を上記延出片に係合させ、当接部を緩衝部材を介してガラス体に当接させることから、従来の複合サッシの框体に複層ガラスに代えて単板ガラスを固定保持することができ、意匠性の高い複合サッシに安価でかつ軽量でサッシへの負担の少ない単板ガラスを用いることができる。
【００３５】
また本発明は、掛渡し部材は断面が略コ字状であると共に、掛渡し部材の内壁部は平面状に形成され、該内壁部は上記框体の延出片と略面一状としてなるので、掛渡し部材と延出片とがあたかも一体であるかのようにその外観を呈しており、より一層の体裁の向上が図られている。
【００３６】
また本発明は、掛渡し部材の係合部は延出片と係合する係合片及び延出片にカシメ固定するためのカシメ係合片を有するので、掛渡し部材は延出片に強固に固定され、安定した状態でガラス体を保持することができる。
【００３７】
また本発明は、掛渡し部材の当接部は取付溝を有し、該取付溝に緩衝部材を取付けてガラス体に当接させることから、緩衝部材がより安定した状態でガラス体に当接することとなる。
【図面の簡単な説明】
【図１】本発明のサッシのガラス固定構造を適用した複合サッシ全体の縦断面図である。
【図２】図１の横断面図である。
【図３】図１の金属上框周辺の拡大図である。
【図４】図１の金属下框周辺の拡大図である。
【図５】図２の金属縦框周辺の拡大図である。
【図６】図３におけるガラス保持部分の組立図である。
【符号の説明】
１　　　　　　　窓開口部
２　　　　　　　複合サッシ
３　　　　　　　外枠
４　　　　　　　辷り出し障子
５　　　　　　　単板ガラス
６　　　　　　　框体
６ａ　　　　　　ガラス挿入溝
１０　　　　　　金属枠
２０　　　　　　樹脂枠
３０　　　　　　金属框
３１ａ〜３４ａ　延出片
３５ａ、ｂ　　　緩衝部材
４０　　　　　　樹脂框
５０　　　　　　掛渡し部材
５１　　　　　　係合部
５１ａ　　　　　係合片
５１ｂ　　　　　カシメ係合片
５２　　　　　　当接部
５２ａ　　　　　取付溝
５３　　　　　　内壁部
６０　　　　　　押縁部材
６１　　　　　　金属押縁
６２　　　　　　樹脂押縁
【図１】
2004124591.tif 000003
【図２】
2004124591.tif 000004
【図３】
2004124591.tif 000005
【図４】
2004124591.tif 000006
【図５】
2004124591.tif 000007
【図６】
2004124591.tif 000008